(57)【要約】【課題】  電池収納ボックスの端子取付部の構造に工夫を講じることによって、端子としてのコイルばねの一端側の輪線部を、それほどの熟練を必要とすることなく、正確にかつ容易に取り付けることができるようにする。【解決手段】    乾電池の収容空間Ｓを形成する枠部１０と、コイルばねでなる端子７０と、コイルばねの一端側の輪線部７１を保持する端子取付部３０とを有する。端子取付部３０は、コイルばねの一端側の輪線部７１に重なり合ってその輪線部７１を支える支え板部４０と、支え板部４０に設けられた一対の差込み溝部５０，５０と、これらの差込み溝部５０，５０の一端を開放している差込み口６０とを有する。支え板部４０にリブ８０を設けてその頂面を下がり勾配の呼込みガイド面８１とする。溝壁５３の頂部５４を、支え板部４０の頂面４１よりも高位に位置させる。【選択図】        図１
2011054317.tif 000002
【特許請求の範囲】
【請求項１】
乾電池の収容空間を形成する枠部と、この枠部の上記収容空間に収容された乾電池の電極に接触するコイルばねでなる端子と、端子としての上記コイルばねの一端側の輪線部を保持する端子取付部と、を有し、上記端子取付部は、コイルばねの一端側の上記輪線部に重なり合ってその輪線部を支える支え板部と、この支え板部の幅方向両側に設けられて、コイルばねの一端側の上記輪線部が差し込まれてその輪線部の相反する側の２箇所を保持する一対の差込み溝部と、これらの差込み溝部の一端を開放している差込み口と、を有してなる電池収納ボックスにおいて、
上記支え板部に、コイルばねの一端側の上記輪線部の１箇所を摺動させて上記差込み口の幅方向中央部に誘導する下がり勾配の呼込みガイド面が設けられ、かつ、この呼込みガイド面の長手方向が、上記支え板部の板面に対して直交していることを特徴とする電池収納ボックス。
【請求項２】
上記呼込みガイド面が、上記支え板部の背部に突き出る形態で設けられたリブの頂面によって形成されている請求項１に記載した電池収納ボックス。
【請求項３】
上記支え板部に対向している上記差込み溝部の溝壁の頂部が、上記支え板部の頂面よりも高位に位置している請求項１又は請求項２に記載した電池収納ボックス。
【発明の詳細な説明】
【技術分野】
【０００１】
本発明は、電池収納ボックス、詳しくは、リモートコントローラ（以下、リモコンという）などの乾電池を電源とする機器に設けられる電池収納ボックスに関する。
【背景技術】
【０００２】
図３にリモコンに設けられている電池収納ボックスの一般的な基本構成を概略斜視図で示してある。この電池収納ボックスは、乾電池（不図示）の収容空間Ｓを形成している細長有底の枠部１０と、この枠部１０の上記収容空間Ｓに収容された乾電池の電極（不図示）に接触するコイルばねでなる端子（不図示）と、端子としての上記コイルばねの一端側の輪線部を保持する端子取付部３０と、を有している。
【０００３】
図４は従来例としての電池収納ボックスに採用されている上記した端子取付部３０の概略構成を示した斜視図である。この端子取付け部３０は、支え板部４０と、この支え板部４０の幅方向両側に設けられた一対の差込み溝部５０と、これらの差込み溝部５０の一端を開放している差込み口６０とを有している。同図の端子取付部４０において、支え板部４０及び一対の差込み溝部５０，５０のそれぞれの頂面４１，５１は、それら高さが同一になるように製作されている。また、一対の差込み溝部５０，５０の頂面４１，５１の内側コーナ部が面取りされていて、その面取り面５２がコイルばねの輪線部（不図示）を差し込みやすくなることに役立っている。
【０００４】
図５は電池収納ボックスに対する端子７０としてのコイルばねの取付け工程を例示した説明図である。図例の端子７０は、線材を螺旋状に巻回することによって形成された複数の輪線部を有している。これらの輪線部のうち、一端側の輪線部７１の外周直径が最大になっているのに対し、他端側の輪線部７２は、その直径が一端側の輪線部７１よりも小さく形成されていて、この他端側の輪線部７２が乾電池の電極に電気的に接触するように構成されている。端子７０としてのコイルばねの一端側の輪線部７１の外周直径は、図４に示した一対の差込み溝部５０，５０の溝底同士の相互間隔に見合う寸法に定められている。そして、端子７０の取付け工程では、図５のように差込み口６０の上に端子７０としてのコイルばねの一端側の輪線部７１を臨ませた後、その輪線部７１を矢印Ａのようにまっすぐに押し下げて差込み溝部５０に差し込む。このようにすると、コイルばねの一端側の輪線部７１の相反する側の２箇所が一対の差込み溝部５０，５０に各別に保持されると共に、その輪線部７１が支え板部４０に重なり合って背部から支えられる。したがって、たとえば収容空間Ｓに乾電池を収容すると、その乾電池の電極に端子７０としてのコイルばねの他端側の輪線部７２（図５参照）が弾圧状態で接触して電気的接続が行われる。
【０００５】
一方、上記したところと同様の構成、すなわち、支え板部の幅方向両側に具備させた一対の差込み溝部に端子としてのコイルばねの一端側の輪線部を差し込んで保持させるという構成は、電池スプリング取付構造や電池端子装置として従来より公知である（たとえば、特許文献１、特許文献２参照）。
【先行技術文献】
【特許文献】
【０００６】
【特許文献１】実開昭５６−１１５８５８号公報
【特許文献２】実開平２−３６１５９号公報
【発明の概要】
【発明が解決しようとする課題】
【０００７】
しかしながら、図４又は図５を参照して説明したように、従来例としての電子収納ボックスでは、端子７０としてのコイルばねの一端側の輪線部７１を上方から矢印Ａのようにまっすぐに押し下げて差込み溝部５０に差し込む作業が行われる。この作業は、差込み溝部５０の溝幅が狭いことや、コイルばねの一端側の輪線部７１を差込み口６０に位置を決めて差し込むことが煩わしいこと、などを勘案するとそれほど容易な作業ではないので、正確な作業には一定の熟練を必要とする。また、作業者が差込み作業を正確に行ったと考えているとしても、場合によっては、図６に示したようにコイルばねの輪線部が誤挿入されているという事態も起こり得る。図６はコイルばねの輪線部が誤挿入されている事例を示した平面図である。同図の事例では、端子７０としてのコイルばねの一端側の輪線部７１に隣接している他の輪線部７３が一対の差込み溝部５０，５０に誤挿入されていて、本来差し込まれるべき一端側の輪線部７１が支え板部４０の背部に嵌まり込んでいる。このような誤挿入による取り付けが行われたとしても、端子７０としてのコイルばね自体は、支え板部４０や差込み溝部５０によって保持された状態になる。しかしながら、そのような状態では、端子７０としてのコイルばねが振動などの影響を受けて簡単に端子取付部３０から脱落してしまったり、端子７０としてのコイルばねがぐらついたり、さらには、他端側の輪線部７２と乾電池の電極との弾接力が不足したりして、電気的接続の不良の原因になることがある。
【０００８】
本発明は、以上の状況に鑑みてなされたものであり、上記した支え板部や一対の差込み溝部などによって構成される端子取付部の構造に工夫を講じることによって、端子としてのコイルばねの一端側の輪線部を、それほどの熟練を必要とすることなく、正確にかつ容易に取り付けることのできる電池収納ボックスを提供することを目的とする。
【課題を解決するための手段】
【０００９】
本発明に係る電池収納ボックスは、乾電池の収容空間を形成する枠部と、この枠部の上記収容空間に収容された乾電池の電極に接触するコイルばねでなる端子と、端子としての上記コイルばねの一端側の輪線部を保持する端子取付部と、を有し、上記端子取付部は、コイルばねの一端側の上記輪線部に重なり合ってその輪線部を支える支え板部と、この支え板部の幅方向両側に設けられて、コイルばねの一端側の上記輪線部が差し込まれてその輪線部の相反する側の２箇所を保持する一対の差込み溝部と、これらの差込み溝部の一端を開放している差込み口と、を有してなる。そして、上記支え板部に、コイルばねの一端側の上記輪線部の１箇所を摺動させて上記差込み口の幅方向中央部に誘導する下がり勾配の呼込みガイド面が設けられ、かつ、この呼込みガイド面の長手方向が、上記支え板部の板面に対して直交している。ここで、長手方向が支え板部の板面に対して直交している呼込みガイド面は、たとえば支え板部の頂面の内側コーナ部を面取り加工することによって形成される面取り面とは区別される。
【００１０】
この構成を備えた電池収納ボックスによると、端子としてのコイルばねを端子取付部に取り付ける工程では、コイルばねの一端側の上記輪線部の１箇所を下がり勾配の呼込みガイド面で摺動させるだけで、その輪線部が差込み口の幅方向中央部に誘導された後、その差込み口を経て一対の差込み溝部に差し込まれる。そして、一対の差込み溝部によって２箇所が保持された上記輪線部が支え板部に重なり合って支えられる。また、上記呼込みガイド面は、端子としてのコイルばねが誤挿入されようとしたときに、コイルばねの一端側の輪線部がその呼込みガイド面と衝突してその背部に嵌まり込むことを防ぐことに役立つので、他の輪線部が差込み口から誤挿入されてしまうという事態を防ぐことにも役立つ。
【００１１】
本発明では、上記呼込みガイド面が、上記支え板部の背部に突き出る形態で設けられたリブの頂面によって形成されていることが望ましい。この構成であると、リブが支え板部を補強することに役立つという利点がある。
【００１２】
本発明では、上記支え板部に対向している上記差込み溝部の溝壁の頂部が、上記支え板部の頂面よりも高位に位置していることが望ましい。この構成であると、端子取付部に端子としてのコイルばねを取り付ける工程で、コイルばねの一端側の輪線部の１箇所を呼込みガイド面で摺動させたときに、その輪線部が差込み溝部の溝壁の頂部に引掛かって確実に差込み口から差し込まれるようになる。したがって、輪線部が差込み溝部の溝壁の頂部を乗り越えて取り付けに失敗するという事態が防止される。
【発明の効果】
【００１３】
本発明によれば、端子取付部の構造に工夫を講じるだけで、端子としてのコイルばねの一端側の輪線部を、それほどの熟練を必要とすることなく、正確にかつ容易に取り付けることが可能になるという効果が奏される。そのため、取り付けられた端子としてのコイルばねが、端子取付部から容易に脱落したり、ぐらついたり、乾電池の電極に対する電気的接続信頼性が損なわれるといった事態が起こらなくなって、リモコンなどの機器の動作信頼性が向上することになる。
【図面の簡単な説明】
【００１４】
【図１】本発明の実施形態に係る電池収納ボックスに採用されている端子取付部の概略構成を示した斜視図である。
【図２】電池収納ボックスへのコイルばねの取付け工程の一例を示した説明図である。
【図３】電池収納ボックスの一般的な基本構成の概略斜視図である。
【図４】従来例としての電池収納ボックスに採用されている端子取付部の概略構成を示した斜視図である。
【図５】従来例でのコイルばねの取付け工程を例示した説明図である。
【図６】コイルばねの輪線部が誤挿入されている事例を示した平面図である。
【発明を実施するための形態】
【００１５】
図１は本発明の実施形態に係る電池収納ボックスに採用されている端子取付部３０の概略構成を示した斜視図である。
【００１６】
この端子取付部３０は、支え板部４０と、この支え板部４０の幅方向両側に設けられた一対の差込み溝部５０と、これらの差込み溝部５０の一端を開放している差込み口６０とを有している。同図の端子取付部４０において、一対の差込み溝部５０，５０のそれぞれの溝壁５３，５３（支え板部４０に対向している溝壁）の頂部５４，５４の高さは、支え板部４０の頂面４１よりも高位に位置するように製作されている。また、一対の差込み溝部５０，５０の頂面４１，５１の内側コーナ部が面取りされていて、その面取り面５２がコイルばねの輪線部（不図示）を差し込みやすくなることに役立つように構成されている。
【００１７】
さらに、この端子取付部３０には特に次の構造を付加してある。すなわち、支え板部４０の幅方向Ｗの中央部にその背部に直角に突き出る形態でリブ８０が設けられている。そして、そのリブ８０の頂面の全体が、支え板部４０の頂面４１に近付く方向に向かう下がり勾配の呼込みガイド面８１として形成されていて、この呼込みガイド面８１の終端８２の高さが支え板部４０の頂面４１の高さと同一の高さに位置している。この構成により、呼込みガイド面８１は、一対の差込み溝部５０，５０の一端を開放している横長の上記差込み口６０の幅方向中央部に臨んでいることになる。また、呼込みガイド面８１の長手方向Ｌが、支え板部４０の板面に対して直交していることになる。
【００１８】
図２は電池収納ボックスに対する端子７０としてのコイルばねの取付け工程の一例を示した説明図である。端子７０としてのコイルばねの形状は図５を参照して説明ところと同様であって、一端側の輪線部７１の外周直径が最大になっているのに対し、他端側の輪線部７２の直径が一端側の輪線部７１よりも小さく形成されていて、この他端側の輪線部７２が乾電池の電極に電気的に接触するように構成されている。また、端子７０としてのコイルばねの一端側の輪線部７１の外周直径は、図１に示した一対の差込み溝部５０，５０の溝底同士の相互間隔に見合う寸法に定められている。
【００１９】
端子７０の取付け工程では、図２のように、コイルばねの一端側の輪線部７１の周方向の１箇所ａを下がり勾配の呼込みガイド面８１に乗せ掛けた状態でその呼込みガイド面８１の終端８２に向けて矢印Ｂのように摺動させる。この作業を行うと、コイルばねの一端側の輪線部７１が差込み口６０の幅方向中央部に誘導された後、その差込み口６０を経て一対の差込み溝部５０，５０に矢印Ｃのように差し込まれる。そして、一対の差込み溝部５０，５０によって相反する側の２箇所が保持された上記輪線部７１が支え板部４０に重なり合って支えられる。したがって、たとえば収容空間Ｓに乾電池を収容すると、その乾電池の電極に端子７０としてのコイルばねの他端側の輪線部７２（図７２照）が弾圧状態で接触して電気的接続が行われる。ここで説明した取付け工程で行われる作業は、それほど熟練を必要とすることなく、正確にかつ容易に行うことができる。したがって、取り付けられた端子７０としてのコイルばねが、端子取付部３０から容易に脱落したり、ぐらついたり、乾電池の電極に対する電気的接続信頼性が損なわれるといった事態が起こらなくなって、リモコンなどの機器の動作信頼性が向上することになる。
【００２０】
特にこの実施形態では、呼込みガイド面８１が下がり勾配を有していることにより、コイルばねの一端側の輪線部７１の周方向の１箇所ａを下がり勾配の呼込みガイド面８１に乗せ掛けた状態でその呼込みガイド面８１の終端８２に向けて矢印Ｂのように摺動させる作業が容易に行われるという利点がある。
【００２１】
この実施形態において、呼込みガイド面８１は、仮に、端子７０としてのコイルばねが誤挿入されようとしたときには、コイルばねの一端側の輪線部７１がリブ８０の呼込みガイド面８１と衝突してその背部に嵌まり込むことを防ぐことに役立つので、他の輪線部が差込み口６０から誤挿入されてしまうという事態が未然に防止されることになる。
【００２２】
また、この実施形態では、上記したように支え板部４０に対向している差込み溝部５０，５０の溝壁５３の頂部５４が、支え板部４０の頂面４１よりも高位に位置しているという構成が採用されている。そのため、端子取付部３０に端子７０としてのコイルばねを取り付ける工程で、コイルばねの一端側の輪線部７１の１箇所を呼込みガイド面８１で摺動させたときに、その輪線部７１が差込み溝部５０の溝壁５３の頂部５４に引掛かって確実に差込み口６０から差し込まれるようになる。したがって、輪線部７１が差込み溝部５０の溝壁５３の頂部５４を乗り越えて取り付けに失敗するという事態が起こりにくくなるという利点がある。
【００２３】
この実施形態では、呼込みガイド面８１を、支え板部４０の背部に設けたリブ８０の頂面の全体によって形成してあることにより、支え板部４０を肉薄にしてもその支え板部４０がリブ８０により補強されて必要な強度が確保されるようになる。この点で、支え板部４０の肉厚を厚くしての頂面に呼び込みガイド面を形成する場合に比べて、電池収納ボックスの成形樹脂材料の歩留り向上を図る上で有利である。
【符号の説明】
【００２４】
１０  枠部
３０  端子取付部
４０  支え板部
５０  差込み溝部
５３  差込み溝部の溝壁
５４  溝壁の頂部
６０  差込み口
７０  コイルばねでなる端子
７１  コイルばねの一端側の輪線部
８０  リブ
８１  呼込みガイド面
Ｌ  呼込みガイド面の長手方向
Ｓ  乾電池の収容空間
【図１】
2011054317.tif 000003
【図２】
2011054317.tif 000004
【図３】
2011054317.tif 000005
【図４】
2011054317.tif 000006
【図５】
2011054317.tif 000007
【図６】
2011054317.tif 000008